(57)【要約】  【課題】  【解決手段】スライドがカセット内に適切に搭載されたか検出するシステムである。スライドはそれぞれ、１以上の透明領域および１以上の不透明領域を具える。スライドは光源とセンサとの間に配置される。このセンサが光源からの光を検出した場合、スライドはカセット内に適切に搭載されている。センサまたは別個のコントローラは信号またはデータを生成でき、ユーザまたは処理設備に、スライドが適切に搭載または配置され、あるいはされていないかを知らせる。【選択図】図６
2008528967.tif 000002
【特許請求の範囲】
【請求項１】
スライドがスライド容器に適切に搭載されているか判断するシステムであって、
それぞれが透明領域および不透明領域を有する複数のスライドと、
光源と、
センサとを具え、
前記スライドは、前記光源と前記センサとの間に配置され、前記スライドは、前記センサが前記光源から前記スライドの整列した透明領域を透過した光を検出したときは、前記スライド容器内に適切に搭載されていることを特徴とするシステム。
【請求項２】
請求項１に記載のシステムにおいて、前記透明領域は透明の角部領域であることを特徴とするシステム。
【請求項３】
請求項１に記載のシステムにおいて、前記透明領域は、前記スライドの縁部および不透明領域により境界が規定されることを特徴とするシステム。
【請求項４】
請求項１に記載のシステムにおいて、前記透明領域は、三角形、長方形、正方形、円形、または半円形であることを特徴とするシステム。
【請求項５】
請求項１に記載のシステムにおいて、前記不透明領域は不透明であることを特徴とするシステム。
【請求項６】
請求項１に記載のシステムにおいて、前記不透明領域はつや消しであることを特徴とするシステム。
【請求項７】
請求項１に記載のシステムにおいて、前記不透明領域は吸収性があることを特徴とするシステム。
【請求項８】
請求項１に記載のシステムにおいて、前記不透明領域は反射性があることを特徴とするシステム。
【請求項９】
請求項１に記載のシステムにおいて、前記透明領域および前記不透明領域は、同じ形状であることを特徴とするシステム。
【請求項１０】
請求項１に記載のシステムにおいて、前記光源はレーザであることを特徴とするシステム。  
【請求項１１】
請求項１に記載のシステムにおいて、前記センサは、前記センサが、前記光源から整列した透明領域を透過する光を検出することより、前記複数のスライドが前記スライド容器内に適切に搭載されているかを知らせる信号またはデータを生成することを特徴とするシステム。
【請求項１２】
請求項１に記載のシステムにおいて、前記光源および前記センサは、前記複数のスライドの上面および下面に対して垂直に配置されることを特徴とするシステム。
【請求項１３】
請求項１に記載のシステムにおいて、前記スライドは垂直なスタック内に配置されることを特徴とするシステム。
【請求項１４】
請求項１に記載のシステムにおいて、前記スライドは水平に配置されることを特徴とするシステム。
【請求項１５】
請求項１に記載のシステムにおいて、前記複数のスライドは、前記光源からの光が不透明領域により遮断されたときは、前記スライドカセット内に不適切に配置されていることを特徴とするシステム。
【発明の詳細な説明】
【技術分野】
【０００１】
本発明は、スライド格納容器に関し、特にスライド格納容器内のスライドの向きを判断または確認するシステムに関する。
【背景技術】
【０００２】
顕微鏡や患者のスライド試験などの様々な装置がスライドガラスを格納するのに利用されている。一つの周知の格納容器はスライドカセットである。カセットは通常、一対のトレイ、支持部材、またはカセットから延在するフィンガと、下側のスロットとを具える。スライドは、スロット内およびトレイにフィットする。各スロットは単一のスライドを受ける。スロットの大きさは通常、スライドの大きさよりも大きく、スライドはスロットに容易に挿入でき、またスロットから容易に取り出すことができる。
【０００３】
自動または半自動画像システムは、ロボットアクチュエータまたは他の装置を利用して、カセットからスライドを抜き取り、スライドまたは標本を処理し、スライドをカセットに戻す。例えば、ある装置はカセットからスライドを取得して顕微鏡または装置の真下に配置するため、細胞検査技師が癌の標本およびその他の病状を分析できる。特に、画像システムはスライドを把持し、スライドをトレイの保持部材の上に持ち上げ、スライドをトレイおよびスロットから取り出し、スライドを顕微鏡の真下に配置する。画像システムは、分析が完了した後にスライドをカセットに再び挿入する。
【発明の開示】
【発明が解決しようとする課題】
【０００４】
画像システムおよび他の装置によりスライドカセット内のスライドの向きを確認する方法は改良できる。理想的には、総てのスライドが、カセット内のトレイに適切かつ平行に、また同様の方法により配置される。しかしながら、人間や機械のエラーにより、スライドが不適切にカセットに搭載されることがある。例えば、あるスライドが逆さまに挿入され、標本サンプルが下向きになる一方、他のスライドがその標本サンプルを上向きにする場合がある。さらに、スライドは回転してしまうことがある。言い換えれば、スライドが偶然に１８０度回転してしまうことがある。これは、例えばバーコードまたは他のデータがスライドの一方の端部に存在する場合に問題になる。また、スライドは回転し裏返ることがある。不適切に搭載されたスライドにより、処理設備に関する問題や処理エラーが生じ、システムが停止し、細胞検査技師または技術者がカセットを調べたりスライドを再配置する必要が生じる。
【課題を解決するための手段】
【０００５】
ある実施例によると、スライドがスライド容器に適切に搭載されているか判断するシステムは、透明領域および不透明領域を有するスライドと、光源と、センサとを具える。前記スライドは、前記光源と前記センサとの間に配置される。前記スライドは、前記センサが前記光源から前記スライドの透明領域を透過した光を検出したときは、前記スライド容器内に適切に搭載されている。
【０００６】
代替的な実施例によると、複数のスライドがスライド容器に適切に搭載されているか判断するシステムは、それぞれが透明領域および不透明領域を有する複数のスライドと、光源と、センサとを具える。前記スライドは、前記光源と前記センサとの間に配置され、前記センサが前記光源から前記スライドの整列した透明領域を透過した光を検出したときは、前記スライド容器内に適切に搭載されている。
【０００７】
別の代替的な実施例によると、複数のスライドがスライド容器に適切に搭載されているか判断するシステムは、それぞれが１つの透明の角部領域および３つの不透明な角部領域を有する複数のスライドと、光源と、センサとを具える。前記スライドは、前記光源と前記センサとの間に配置され、前記センサが前記光源から前記スライドの整列した透明の角部領域を透過した光を検出したときに、前記スライド容器に内に適切に搭載されている。
【０００８】
様々な実施例では、スライドの一つの角部は透明領域を具え、他の３つの角部は、吸収性または反射性のある不透明またはつや消し領域などの不透明領域を具える。異なる配置、形状、数、および大きさの透明および不透明領域を利用できる。例えば、スライドは垂直なスタックに配置または水平に配置され、光源とセンサとの間に配置される。透明領域は、スライドの縁部と不透明領域により境界が規定できる。さらに、透明領域は、三角形、長方形、正方形、円形、または半円形とすることができる。各スライドは、例えば、三角形または長方形などの様々な形状をした３つの不透明領域を有することができる。
【０００９】
また、様々な実施例では、レーザなどの光源は可視光線および非可視光線を含む様々な波長の光を生成できる。センサは、１以上のスライドがスライド容器に適切に搭載されているかを示す信号またはデータを生成でき、これにより、ディスプレイスクリーンに表示されるメッセージを生成し、または光またはスピーカを始動させることができる。
【発明を実施するための最良の形態】
【００１０】
これらの実施例およびその利点は、同一の参照番号が同一の形状を示す添付図面と関連させて以下の説明を参照することにより、さらに完全に理解されるであろう。
【００１１】
本実施例は、マサチューセッツ州０１７５２、モールバラ、キャンパスドライブ２５０所在のCytyc Corporation社から入手可能な品番７０２９２−０００などのスライド容器に、スライドが適切に搭載または配置されたが判断するのに利用できる。図１に示すように、例示的なスライド１１０は、試験用のサンプルまたは標本１１２を有する上面１１１と、底面１１３と、第１の側面１１４と、第２または反対の側面１１５と、スロット１０２内に配置される第１の縁部１１６と、第２または反対の縁部１１７とを具える。図２を参照すると、いくつかのスライドはつや消し部分１１８を有し、このつや消し部分は、数字をスライド１１０に容易に印刷したり、取り扱うべきスライド１１０の区分を特定するのに利用される。図３および４に示すスライドは通常、縁部１１６および１１７より長い側面１１４および１１５を有する長方形のスライドである。当業者であれば、その他のスライドの構成が利用できることは理解できるであろう。例えば、図３および４を参照すると、別の例示的なスライド１１０は、長さが同じである側面１１４および１１５と縁部１１６および１１７を有する正方形のスライドである。図示および説明のために、限定するわけではないが、本明細書では長方形のスライドについて言及する。
【００１２】
通常、スライド１１０はカセット内に搭載され、平行かつ適切に配置され、スライドは、標本サンプル１１２がスライド１１０の上面１１１にある状態で上向きに配置される。通常、総てのスライドは、処理設備が特定の方法により配置されたスライドを処理するように構成されているため、同様の方法で配置される。当業者であれば、「共通の」向きはカセットおよび設備の構成に応じて変更できるが、この仕様は、スライドが、（標本がスライドに付着している場合に）上向きである標本サンプルに対して平行であり、スライドの一方の端部が、初めにカセットに挿入されることに関連することは理解できるであろう。しかしながら、スライド１１０は裏返りまたは１８０度回転することによりカセット内に不適切に配置され、スライドがカセット内に正しく配置されないことがある。本実施例は、透明領域を利用することにより、いずれのスライドがカセット内に不適切に搭載または配置されているか判断することができる。
【００１３】
特に、図５を参照すると、様々な実施例で使用されるスライド５００は、スライドの一つの角部の透明領域５２０と、不透明領域５１０、５１２、および５１４（通常５１０）とを具える。図示した実施例では、不透明領域５１０および５１２は三角形であり、透明領域５２０とほぼ同じ大きさであるが、実施例はこれに限定されない。図示した実施例では、不透明領域５１４はスライド５００の側面の間に延在している。透明領域５２０は、スライド５００の縁部と不透明領域５１４により境界が規定される。
【００１４】
図５に示すように、透明領域５２０はスライド５００自体の一部であり、不透明領域５１０は、例えばつや消しされた５１８または不透明素材でコーティングされたスライド５００の一部である。代替的に、不透明領域５１０は不透明な接着剤をスライドに塗ったり、例えばレーザエッチング、研磨、または他の適切な技術を利用してスライドの一部を他の部分よりも透明にするスライド処理などの、他の技術を利用して形成してもよい。不透明領域５１０は、スライドの素材、不透明領域５１０の素材、および不透明領域５１０を形成する方法に応じて、接着性または反射性を有してもよい。説明のために、限定するわけではないが、本明細書では、つや消しされた不透明領域について言及する。つや消し素材およびつや消しされた不透明部分１１８を形成する技術は、本技術分野で周知であるため、本明細書ではこれらについてさらに詳しく説明しない。
【００１５】
当業者であれば、不透明領域５１０は入射光線の１００％を吸収または反射せず、不透明領域５１０は少量の光を透過することは理解できるであろう。したがって、本明細書中の「不透明」についての言及は、完全に不透明な領域と、透明領域５２０よりも十分に透明でない領域を含むことを意味しており、センサが、透明領域５１０を透過する光と不透明領域５２０を透過する光とを検出および区別する。異なる透過特性を有するいずれの不透明領域５１０を使用するかは、例えばセンサの感度や、強さの異なる光を区別するセンサの能力により決定してもよい。
【００１６】
図６を参照すると、システム６００は、１以上のスライド５００と、光または電磁エネルギを放出する光源６１０と、光源６１０からの光６１２を検出するセンサ６２０とを具える。この図は５枚のスライドを示しているが、当業者であれば、本システムは異なる枚数のスライド、例えば１枚のスライド、１０枚のスライド、５０枚のスライド等を具えることができることを理解できるであろう。
【００１７】
使用される光源６１０の種類は、スライドの種類またはスライド５００の素材、スライド５００の数、光源６１０の強さ、およびセンサ６２０の感度により決定できる。例示的な光源６１０は、白色光源と、発光ダイオード（ＬＥＤ）と、レーザとを具える。光源６１０からの光６１２は視準してもよく、約４００ナノメータ（ｎｍ）から約７００ｎｍの範囲の可視光線、および約７００ｎｍから約１０００ｎｍの赤外線波長や約１００ｎｍから約４００ｎｍまでの紫外線などの非可視光線を含む様々な波長であってもよい。例示的な光源６１０およびセンサ６２０の組合せは、オーストラリア、ＳＡ５９５０、エクスポートパーク、コルベットコート５ａに所在のLaserex Technologies社から入手可能な、約６３５、６５０、６７０、７８０、８０８、８３０、および８５０ｎｍの波長の光を放出するModel LDM-5の低分散レーザモジュールや、同じくLaserex社から入手可能な、約３５０−１１００ｎｍの帯域幅の範囲を有するModel LR-4アナログレシーバである。当業者であれば、他の光源およびセンサも利用できることが理解できるであろう。
【００１８】
図示した実施例では、スライド５００は、スライドカセットに配置された垂直なスタックとして示されている。この実施例では、光源６１０およびセンサ６２０は、スライド５００の反対側、即ち垂直なスタックの上側および下側に配置される。光源６１０およびセンサ６２０は入れ替えて、センサ６２０はスライド５００のスタックの上側に、光源６１０はスライド５００の下側にしてもよい。このように、実施例はスライドの異なる構成により利用できる。
【００１９】
システムまたはユーザは、図６に示すように、光源６１０から総てのスライド５００の透明領域５２０を透過し、センサ６２０により検出される光６１２に基づいて、スライド５００が適切にカセットに搭載されたか判断できる。これは、不透明領域５１０が光６１２の経路内に配置されていないとき、すなわち光６１２が、透明領域５２０を介してセンサ６２０に到達するときに可能である。
【００２０】
センサ６２０は、センサ６２０が光源６１０から光６１２を検出したかどうか、即ちスライドが適切にカセット内に搭載されたかを知らせることができるデータまたは信号６２２を生成する。センサ信号６２２または追加の構成部材により、インジケーション機能を提供することができる。例えば、センサ出力６２２は、インジケータを直接動作させることができ、またはセンサ出力６２２は、図６に示すような１以上のインジケータを動作させるのに必要なデータまたは信号６３２を提供するマイクロプロセッサ、マイクロコントローラ、または論理回路またはゲートなどのコントローラ６３０に提供され、成功／失敗を知らせることができる。さらに、コントローラ６３０は、他の動作または表示を初期化することができる。例えば、コントローラ６３０は、制御システムまたはコンピュータにより使用される信号またはデータを生成でき、この制御システムまたはコンピュータは、信号またはデータに応じてスクリーンに表示されるエラーメッセージを生成する。代替的に、コンピュータは、システムに問題がある場合、修正動作を初期化してもよい。
【００２１】
使用されるインジケータは、ビジュアルインジケータ、可聴インジケータ、またはこれらの組合せを含む。例えば、ビジュアルインジケータは、ＬＥＤ６４０および６４２などのインジケータライトまたは発光ダイオード（ＬＥＤ）とすることができる。可聴インジケータは、スピーカ（Ｓ）６４４とすることができる。図示した実施例では、インジケータは、２つのＬＥＤ６４０および６４２と、１つのスピーカ６４４とを具える。ＬＥＤ６４０は緑色（Ｇ）発光ダイオードであり、総てのスライドがカセット内に適切に搭載および整列され、処理が継続可能であることを示す。ＬＥＤ６４２は赤色（Ｒ）発光ダイオードであり、１以上のスライドがカセット内に適切に搭載されておらず、カセットがスライドの整列の修正を必要としていることを示す。当業者であれば、他の表示色の手段または情報を利用可能であることは理解できるであろう。
【００２２】
スライド５００がカセット内に適切に搭載された場合、図６に示すように、総ての透明領域５２０は互いに整列される。この構成では、光６１２はセンサ６２０により検出され、センサ６２０またはコントローラ６３０は、緑色ＬＥＤ６４０およびまたはスピーカ６４４などのインジケータを動作させる適切な信号を提供し、スライドが適切に搭載され、細胞検査技師が作業を続行できることを示す。
【００２３】
一方、スライド５００が適切に搭載されなかった場合、センサ６２０またはコントローラ６３０は光６１２を検出せず、赤色ＬＥＤ６４２および／またはスピーカ６４４を動作させる信号を生成して、１以上のスライドが不適切に搭載されていることを知らせ、これにより細胞検査技師の注意を喚起できる。信号６３２は、例えば、スライドが搭載された後、またはカセット内のスライドの配置を確認するためのユーザの要求の後の所定の時間内に検出された光６１２の欠如に基づいて生成できる。
【００２４】
図７および８は、１以上のスライドが誤って搭載された起こりうる配置を示す。特に図７は、スライドが１８０度回転し、誤った端部がカセット内に搭載された状態を示している。この構成では、上側の２枚のスライドと下側の２枚のスライド５００が適切に搭載されているが、中央のスライド５００は不適切に回転している。このため、不透明領域５１０および５２０が回転し、透明領域５２０が、スライドが適切に搭載されたときの光６１２の経路内に配置されるのではなく、カセット内に配置されている。したがって、光源６１０からの光６１２は、不透明領域５１２により吸収または反射され、センサ６２０に到達しない。センサ６２０またはコントローラ６３０は、１以上のスライドが不適切に搭載されたことを知らせるインジケーションを生成し、細胞検査技師の注意を喚起する。
【００２５】
図８は、スライドが不適切に搭載された別の配置を示している。この例では、スタックの下側のスライドが裏返っている。このため、不透明領域５１０および５１２は裏返り、カセット内に配置されている。不透明領域５１４は光６１２の経路内にあり、透明領域５２０は光６１２の経路の外側にある。したがって、光源６１０からの光６１２は、不透明領域により吸収または反射され、センサ６２０に到達しない。センサ６２０またはコントローラ６３０は、１以上のスライドが不適切に搭載されたことを知らせるインジケーションを生成し、細胞検査技師の注意を喚起する。さらに、スライドは裏返りかつ回転することもあり、これは基本的に図７および８に示す配置の組合せである。この配置により、不透明領域部分が光を遮り、１以上のスライドがカセット内に適切に配置されていないことを示すインジケーションが生成される。
【００２６】
当業者であれば、代替的な実施例が、異なる種類の透明および不透明領域、光源、センサ、スライド素材、ならびにスライド配置を具えることを理解できるであろう。例えば、図６−８に示す実施例では、スライド５００がカセット内の典型的な配置、即ち、垂直に積まれそれぞれが離れて配置されている様子が示されている。代替的な実施例では、スライド５００が各スライドの上面に積まれ、各スライドが別のスライドに接触するようにしてもよい。さらに、図９に示すように、システム６００は、水平に配置されまたは側面または端部が配置されたスライド５００を利用して、同じ機能を果たすように構成できる。
【００２７】
透明領域および不透明領域の異なる種類もまた使用できる。例えば、図５−８は、スライドの角部に配置された三角形の透明領域５２０を有するスライドを示しているが、透明領域５２０は、他の形状や大きさにすることができる。例えば、図１０は、不透明領域１０１４により部分的に囲まれている正方形の透明領域１０００を有するスライド１０００を示している。不透明領域１０１０および１０１２は、透明領域１０２０とほぼ同じ形状および大きさとすることができる。図１１は、不透明領域１１１４により部分的に囲まれている長方形の透明領域１１００を有するスライド１１００を示している。不透明領域１１１０および１１１２は、透明領域１１２０とほぼ同じ形状および大きさとすることができる。図１２は、不透明領域１２１４により部分的に囲まれている扇形の透明領域１１００を有するスライド１２００を示している。不透明領域１２１０および１２１２は、透明領域１１２０とほぼ同じ形状および大きさ、または、図１２に示すように他の形状および／または大きさにすることができ、不透明領域１２０１および１２１２は、光源６１０からの光６１２を遮断してもよい。
【００２８】
さらに、図１３−１５は、異なる応用例に適合するために、透明領域および不透明領域がどのような異なる形状および／または大きさを取り得るかを示している。例えば、図１３に示すように、透明領域１３２０は、スライドの縁部や不透明領域により境界が規定されていない。むしろ、図示した実施例の透明領域１３２０は、円形（または形状）であり、不透明領域１３１４により囲まれている。また、スライド１３００は、円形（または形状）の不透明領域１３１０を具え、通常、透明領域１３２０を透過する光６１２は、スライドがカセット内に適切に搭載されていない場合、不透明領域１３１０により遮断される。
【００２９】
別の例として、透明領域１４２０は、図１４に示すようにスライドの一方の縁部に沿って配置できる。この実施例では、不透明領域１４１４は透明領域１４２０を部分的に囲んでおり、不透明領域１４１０および１４１２は、透明領域１４２０とほぼ同じ形状および大きさである。別の例として図１５に示すように、透明領域１５２０は、図１５に示す構成と同じような、不透明領域１５１４により囲まれた三角形の透明領域とすることができる。しかしながら、スライドの反対側の端部では、他の図に示すようにそれぞれが離れた不透明領域を利用するよりもむしろ、スライドの端部全体が不透明領域１５１０であり、これらの構成はいずれも、スライドがカセット内に適切に搭載されていない場合に、光源６１０からの光６１２を遮断する。
【００３０】
当業者であれば、長方形、正方形、円形、および他の形状の透明領域および不透明領域の様々な組合せを利用して、あるスライド配置では光は透明領域を透過し、別のスライド配置では不透明領域により遮断することができる。透明領域および不透明領域の形状は一致していてもよく、または一致していなくてもよい。また、不透明領域の大きさは、必要に応じて変更できる。別の例では、スライドが共通の透明領域を具えている限り、スライドの端部全体を不透明領域とすることができる。さらに、透明領域は大きさが異なっていてもよい。透明領域の形状および大きさは、例えば、スライドの大きさや、使用される光源に依存してもよく、例えば、光源はコリメート光源または拡散光源のいずれかであり、コリメート光源は大きな透明領域と小さな透明領域の双方に利用してもよい。さらに、透明領域および対応する不透明領域は、スライド上の異なる位置を占有してもよい。さらに、透明部分はスライドの縁部や不透明領域に境界を規定してもよく、また不透明領域により囲まれてもよい。したがって、図１０−１５に示す構成は、説明としての実施例であり限定を意図するものではない。
【００３１】
したがって、当業者であれば、様々な数、形状、大きさ、および位置の透明領域および不透明領域が存在し、光源から整列した透明領域を介してセンサに到達する光により、透明領域の固有の配置のインジケーションを提供し、スライドがカセット内に適切に搭載されていることを知らせることは理解できるであろう。
【図面の簡単な説明】
【００３２】
【図１】図１は、前面または縁部よりも長い側面を有する従来のスライドの斜視図である。
【図２】図２は、前面または縁部よりも長い側面を有し、つや消し端部を有する従来のスライドの平面図である。
【図３】図３は、同一の長さを有する側面または縁部を有する正方形の従来のスライドの斜視図である。
【図４】図４は、従来の正方形のスライドの平面図である。
【図５】図５は、様々な実施例で使用される透明領域および不透明領域を有するスライドを示している。
【図６】図６は、総てのスライドが適切に搭載されたことにより透明部分が整列されたスライドを具えるシステムてある。
【図７】図７は、スライドが回転したことにより、透明部分が間違って整列されたスライドを有するシステムを示す。
【図８】図８は、スライドの裏表が反対になったことにより透明部分が間違って整列されたスライドを有するシステムである。
【図９】図９は、側面および端部が配置され、透明部分が配列されたスライドを有するシステムを示す。
【図１０】図１０は、代替的な実施例に使用される、正方形の透明領域および不透明領域の代替的な構成を示す。
【図１１】図１１は、代替的な実施例に使用される、長方形の透明領域および不透明領域の別の代替的な構成を示す。
【図１２】図１２は、代替的な実施例に使用される、扇形の透明領域および不透明領域の別の代替的な構成を示す。
【図１３】図１３は、代替的な実施例に使用される、不透明領域により囲まれた円形の透明領域の別の代替的な構成を示す。
【図１４】図１４は、代替的な実施例に使用される、図１２に対して反対側に扇形の透明領域を有し、透明領域が不透明領域により囲まれた別の代替的な構成を示す。
【図１５】図１５は、透明領域と、スライドの端から端および側面から側面に延在する不透明領域の別の代替的な構成を示す。
【図１】
2008528967.tif 000003
【図２】
2008528967.tif 000004
【図３】
2008528967.tif 000005
【図４】
2008528967.tif 000006
【図５】
2008528967.tif 000007
【図６】
2008528967.tif 000008
【図７】
2008528967.tif 000009
【図８】
2008528967.tif 000010
【図９】
2008528967.tif 000011
【図１０】
2008528967.tif 000012
【図１１】
2008528967.tif 000013
【図１２】
2008528967.tif 000014
【図１３】
2008528967.tif 000015
【図１４】
2008528967.tif 000016
【図１５】
2008528967.tif 000017
【国際調査報告】
2008528967.tif 000018
2008528967.tif 000019
2008528967.tif 000020